(57)【要約】【課題】完全密閉可能な開閉機構、密封用チャック、スライダー、この開閉機構を備えた密封袋を提供する。【解決手段】密封用チャックＣの各ベース部１１，２１における、凸条１２あるいは凹条２２の設けられた内側面とは反対側である外側面にテープ側係合部１３，２３が形成されており、スライダー３が、上記密封用チャックＣの長手方向に沿って移動可能とされており、上記の各テープ側係合部１３，２３と係合する係合爪３３，３３を備えており、この係合爪３３，３３間の距離が、スライダー３の、上記密封用チャックＣの長手方向を基準とした一端側である幅広側で相対的に大きく、他端側である幅狭側で相対的に小さく形成されたものとする。【選択図】図５
2009011516.tif 000002
【特許請求の範囲】
【請求項１】
開閉自在な密封用チャック（Ｃ）と、この密封用チャック（Ｃ）を開閉させるために、密封用チャック（Ｃ）にスライド可能に取り付けられたスライダー（３）とが組み合わされた密封用チャックの開閉機構において、
上記の密封用チャック（Ｃ）が、樹脂製の一方側テープ（１）と他方側テープ（２）とが一組とされたものであって、
上記の一方側テープ（１）には、帯状体であるベース部（１１）の内側面に、このベース部（１１）の長手方向に沿うようにして凸条（１２）が少なくとも１本形成されており、
上記の他方側テープ（２）には、同じく帯状体であるベース部（２１）の内側面に、このベース部（２１）の長手方向に沿うようにして凹条（２２）が少なくとも１本形成されており、
上記の凸条（１２）と凹条（２２）とが嵌合することにより、上記の一方側テープ（１）と他方側テープ（２）との間を閉鎖できるものであり、
上記各ベース部（１１，２１）における、凸条（１２）あるいは凹条（２２）の設けられた内側面とは反対側である外側面にテープ側係合部（１３，２３）が形成されており、
上記のスライダー（３）が、上記密封用チャック（Ｃ）の長手方向に沿って移動可能とされており、
上記の各テープ側係合部（１３，２３）と係合する係合爪（３３，３３）を備えており、
この係合爪（３３，３３）間の距離が、スライダー（３）の、上記密封用チャック（Ｃ）の長手方向を基準とした一端側である幅広側（３ａ）で相対的に大きく、他端側である幅狭側（３ｂ）で相対的に小さく形成されており、
上記の幅広側（３ａ）により、上記各ベース部（１１，２１）の内側面からの上記凸条（１２）及び凹条（２２）の突出寸法（Ｈ１２，Ｈ２２）の和よりも、上記各ベース部（１１，２１）の内側面間の寸法（Ｗ）の方が大きくなるように、各ベース部（１１，２１）が離されるものであり、
上記の幅狭側（３ｂ）により、上記各ベース部（１１，２１）の内側面からの上記凸条（１２）及び凹条（２２）の突出寸法（Ｈ１２，Ｈ２２）の和よりも、上記各ベース部（１１，２１）の内側面間の寸法（Ｗ）の方が小さく、かつ、上記凸条（１２）と凹条（２２）とが嵌合するように、各ベース部（１１，２１）が接近させられるものであることを特徴とする密封用チャックの開閉機構。
【請求項２】
上記のテープ側係合部（１３，２３）が、上記各ベース部（１１，２１）の外側面から突出した突起であり、
上記各ベース部（１１，２１）に連続する基部（１３ａ，２３ａ）と、この基部（１３ａ，２３ａ）に連続する先端部（１３ｂ，２３ｂ）とを備えており、
上記のスライダー（３）は、少なくとも、密封用チャック（Ｃ）を開放させるために密封用チャック（Ｃ）の長手方向に沿ってスライドする際に、
係合爪（３３，３３）が上記先端部（１３ｂ，２３ｂ）に当接しつつ外側方向へと押圧するものであることを特徴とする、請求項１に記載の密封用チャックの開閉機構。
【請求項３】
上記係合爪（３３，３３）の、密封用チャック（Ｃ）が開放される際に上記のテープ側係合部（１３，２３）に当接する部分（３３ａ，３３ａ）のうちで、下側部分よりも上側部分の方が外側寄りに位置していることを特徴とする、請求項１または２に記載の密封用チャックの開閉機構。
【請求項４】
樹脂製シート（Ｂ１，Ｂ２）から構成され、気密状態にて密封可能とされた袋の開口部に取り付けられて用いられる密封用チャック（Ｃ）であり、
樹脂製の一方側テープ（１）と他方側テープ（２）とが一組とされたものであって、
上記の一方側テープ（１）には、帯状体であるベース部（１１）の内側面に、このベース部（１１）の長手方向に沿うようにして凸条（１２）が少なくとも１本形成されており、
上記の他方側テープ（２）には、同じく帯状体であるベース部（２１）の内側面に、このベース部（２１）の長手方向に沿うようにして凹条（２２）が少なくとも１本形成されており、
上記の凸条（１２）と凹条（２２）とが嵌合することにより、上記の一方側テープ（１）と他方側テープ（２）との間を閉鎖できるものであり、
上記各ベース部（１１，２１）における、凸条（１２）あるいは凹条（２２）の設けられた内側面とは反対側である外側面にテープ側係合部（１３，２３）が形成されており、
上記のテープ側係合部（１３，２３）は、外力を受けることにより、上記閉鎖の際には各ベース部（１１，２１）を内側方向に移動させ、開放の際には各ベース部（１１，２１）を外側方向に移動させるための部分であり、
上記の移動は、上記凸条（１２）と凹条（２２）とが嵌合及び嵌合解除させられる距離を移動するようになされることを特徴とする密封用チャック。
【請求項５】
樹脂製シート（Ｂ１，Ｂ２）から構成され、気密状態にて密封可能とされた袋の開口部に取り付けられた密封用チャック（Ｃ）を開閉するために、密封用チャック（Ｃ）に取り付けられて用いられるスライダー（３）であり、
上記の密封用チャック（Ｃ）が、樹脂製の一方側テープ（１）と他方側テープ（２）とが一組とされたものであって、
上記の各テープ（１，２）の内側面が対向する関係とされており、
上記のスライダー（３）が、上記各テープ（１，２）の外側の一部と係合が可能な係合爪（３３，３３）を備えており、
この係合爪（３３，３３）間の距離が、スライダー（３）における、上記密封用チャック（Ｃ）の長手方向を基準とした一端側である幅広側（３ａ）で相対的に大きく、他端側である幅狭側（３ｂ）で相対的に小さく形成されたことを特徴とするスライダー。
【請求項６】
上記スライダー（３）が二つ以上の構成部材から構成されたものであり、
そのうち二つの構成部材の一方側と他方側とに上記の係合爪（３３，３３）が各々形成されたことを特徴とする、請求項５に記載のスライダー。
【請求項７】
樹脂製シート（Ｂ１，Ｂ２）が少なくとも２枚重ねられ、接着されて形成された密封袋であって、
上記のシート（Ｂ１，Ｂ２）が接着されない部分である開口部が設けられており、その開口部に、請求項１〜４のいずれかに記載の密封用チャック（Ｃ）が取り付けられており、
この密封用チャック（Ｃ）の上端が、上記各シート（Ｂ１，Ｂ２）の上端よりも上方に取り付けられており、
上記密封用チャック（Ｃ）に、請求項１〜３、５、６のいずれかに記載のスライダー（３）が取り付けられたことを特徴とする密封袋。
【発明の詳細な説明】
【技術分野】
【０００１】
本願発明は、軟質樹脂製の袋に取り付けられて用いられる密封用チャック、及びこれと共に用いられるスライダー、及びこれらが組み合わされた開閉機構、この開閉機構を備えた密封袋に関するものである。
【背景技術】
【０００２】
【特許文献１】特開２００２−５８５０９号公報
【０００３】
従来から、軟質樹脂製の袋に取り付けられて用いられる密封用チャックとスライダーとが組み合わされた開閉機構が周知である。
【０００４】
この開閉機構の一例として、特許文献１に係る発明が存在する。これは、図８に示すように、袋の開口部に凹条１０１ａと凸条１０１ｂとが対向したチャック１０１が設けられており、このチャック１０１に沿ってスライド可能にスライダー１０２が設けられたものである。
【０００５】
このスライダー１０２によってチャック１０１を開閉可能とするため、図示のように、閉鎖の際には、スライダー１０２の内面１０２ａにてチャック１０１を押さえることが必要である。そして開放の際には、上記の凹条１０１ａと凸条１０１ｂとを引き離すことができるように、凹条１０１ａと凸条１０１ｂとの間にスライダー１０２の中子１０２ｂを介在させている。
【発明の開示】
【発明が解決しようとする課題】
【０００６】
ところが、この中子１０２ｂが存在している部分においては凹条１０１ａと凸条１０１ｂとを嵌合させることができないため、チャック１０１を完全密閉することができなかった。
【０００７】
本願発明はこのことに鑑み、チャックを開閉可能なスライダーを備えたものでありながら、完全密閉可能な開閉機構、その開閉機構のための密封用チャック及びスライダー、そして、この開閉機構を備えた密封袋を提供することを課題とする。
【課題を解決するための手段】
【０００８】
上記課題を解決するために、本願の請求項１に係る発明は、開閉自在な密封用チャックＣと、この密封用チャックＣを開閉させるために、密封用チャックＣにスライド可能に取り付けられたスライダー３とが組み合わされた密封用チャックの開閉機構において、上記の密封用チャックＣが、樹脂製の一方側テープ１と他方側テープ２とが一組とされたものであって、上記の一方側テープ１には、帯状体であるベース部１１の内側面に、このベース部１１の長手方向に沿うようにして凸条１２が少なくとも１本形成されており、上記の他方側テープ２には、同じく帯状体であるベース部２１の内側面に、このベース部２１の長手方向に沿うようにして凹条２２が少なくとも１本形成されており、上記の凸条１２と凹条２２とが嵌合することにより、上記の一方側テープ１と他方側テープ２との間を閉鎖できるものであり、上記各ベース部１１，２１における、凸条１２あるいは凹条２２の設けられた内側面とは反対側である外側面にテープ側係合部１３，２３が形成されており、上記のスライダー３が、上記密封用チャックＣの長手方向に沿って移動可能とされており、上記の各テープ側係合部１３，２３と係合する係合爪３３，３３を備えており、この係合爪３３，３３間の距離が、スライダー３の、上記密封用チャックＣの長手方向を基準とした一端側である幅広側３ａで相対的に大きく、他端側である幅狭側３ｂで相対的に小さく形成されており、上記の幅広側３ａにより、上記各ベース部１１，２１の内側面からの上記凸条１２及び凹条２２の突出寸法Ｈ１２，Ｈ２２の和よりも、上記各ベース部１１，２１の内側面間の寸法Ｗの方が大きくなるように、各ベース部１１，２１が離されるものであり、上記の幅狭側３ｂにより、上記各ベース部１１，２１の内側面からの上記凸条１２及び凹条２２の突出寸法Ｈ１２，Ｈ２２の和よりも、上記各ベース部１１，２１の内側面間の寸法Ｗの方が小さく、かつ、上記凸条１２と凹条２２とが嵌合するように、各ベース部１１，２１が接近させられるものであることを特徴とする密封用チャックの開閉機構を提供する。
【０００９】
また、本願の請求項２に係る発明は、上記のテープ側係合部１３，２３が、上記各ベース部１１，２１の外側面から突出した突起であり、上記各ベース部１１，２１に連続する基部１３ａ，２３ａと、この基部１３ａ，２３ａに連続する先端部１３ｂ，２３ｂとを備えており、上記のスライダー３は、少なくとも、密封用チャックＣを開放させるために密封用チャックＣの長手方向に沿ってスライドする際に、係合爪３３，３３が上記先端部１３ｂ，２３ｂに当接しつつ外側方向へと押圧するものであることを特徴とする、請求項１に記載の密封用チャックの開閉機構を提供する。
【００１０】
また、本願の請求項３に係る発明は、上記係合爪３３，３３の、密封用チャックＣが開放される際に上記のテープ側係合部１３，２３に当接する部分３３ａ，３３ａのうちで、下側部分よりも上側部分の方が外側寄りに位置していることを特徴とする、請求項１または２に記載の密封用チャックの開閉機構を提供する。
【００１１】
また、本願の請求項４に係る発明は、樹脂製シートＢ１，Ｂ２から構成され、気密状態にて密封可能とされた袋の開口部に取り付けられて用いられる密封用チャックＣであり、樹脂製の一方側テープ１と他方側テープ２とが一組とされたものであって、上記の一方側テープ１には、帯状体であるベース部１１の内側面に、このベース部１１の長手方向に沿うようにして凸条１２が少なくとも１本形成されており、上記の他方側テープ２には、同じく帯状体であるベース部２１の内側面に、このベース部２１の長手方向に沿うようにして凹条２２が少なくとも１本形成されており、上記の凸条１２と凹条２２とが嵌合することにより、上記の一方側テープ１と他方側テープ２との間を閉鎖できるものであり、上記各ベース部１１，２１における、凸条１２あるいは凹条２２の設けられた内側面とは反対側である外側面にテープ側係合部１３，２３が形成されており、上記のテープ側係合部１３，２３は、外力を受けることにより、上記閉鎖の際には各ベース部１１，２１を内側方向に移動させ、開放の際には各ベース部１１，２１を外側方向に移動させるための部分であり、上記の移動は、上記凸条１２と凹条２２とが嵌合及び嵌合解除させられる距離を移動するようになされることを特徴とする密封用チャックを提供する。
【００１２】
また、本願の請求項５に係る発明は、樹脂製シートＢ１，Ｂ２から構成され、気密状態にて密封可能とされた袋の開口部に取り付けられた密封用チャックＣを開閉するために、密封用チャックＣに取り付けられて用いられるスライダー３であり、上記の密封用チャックＣが、樹脂製の一方側テープ１と他方側テープ２とが一組とされたものであって、上記の各テープ１，２の内側面が対向する関係とされており、上記のスライダー３が、上記各テープ１，２の外側の一部と係合が可能な係合爪３３，３３を備えており、この係合爪３３，３３間の距離が、スライダー３における、上記密封用チャックＣの長手方向を基準とした一端側である幅広側３ａで相対的に大きく、他端側である幅狭側３ｂで相対的に小さく形成されたことを特徴とするスライダーを提供する。
【００１３】
また、本願の請求項６に係る発明は、上記スライダー３が二つ以上の構成部材から構成されたものであり、そのうち二つの構成部材の一方側と他方側とに上記の係合爪３３，３３が各々形成されたことを特徴とする、請求項５に記載のスライダーを提供する。
【００１４】
また、本願の請求項７に係る発明は、樹脂製シートＢ１，Ｂ２が少なくとも２枚重ねられ、接着されて形成された密封袋であって、上記のシートＢ１，Ｂ２が接着されない部分である開口部が設けられており、その開口部に、請求項１〜４のいずれかに記載の密封用チャックＣが取り付けられており、この密封用チャックＣの上端が、上記各シートＢ１，Ｂ２の上端よりも上方に取り付けられており、上記密封用チャックＣに、請求項１〜３、５、６のいずれかに記載のスライダー３が取り付けられたことを特徴とする密封袋を提供する。
【発明の効果】
【００１５】
本願の請求項１及び２に係る発明は、密封用チャックＣの各ベース部１１，２１における、凸条１２あるいは凹条２２の設けられた内側面とは反対側である外側面にテープ側係合部１３，２３が形成されており、スライダー３が、上記密封用チャックＣの長手方向に沿って移動可能とされており、上記の各テープ側係合部１３，２３と係合する係合爪３３，３３を備えており、この係合爪３３，３３間の距離が、スライダー３の、上記密封用チャックＣの長手方向を基準とした一端側である幅広側３ａで相対的に大きく、他端側である幅狭側３ｂで相対的に小さく形成されたことから、凸条１２と凹条２２との間に何も介在させることがなく、チャックを開閉可能なスライダーを備えたものでありながら完全密閉が可能な開閉機構を提供できたものである。
【００１６】
また、本願の請求項３に係る発明は、上記の効果に加えて、係合爪３３，３３の、密封用チャックＣが開放される際に上記のテープ側係合部１３，２３に当接する部分３３ａ，３３ａのうちで、下側部分よりも上側部分の方が外側寄りに位置していることから、密封用チャックＣを開放する際に、各ベース部１１，２１の下側部分よりも上側部分の方をより大きく引き離すことができ、開閉機構の操作をより容易にできる開閉機構を提供できたものである。
【００１７】
また、本願の請求項４に係る発明は、チャックＣの各ベース部１１，２１における、凸条１２あるいは凹条２２の設けられた内側面とは反対側である外側面にテープ側係合部１３，２３が形成されており、このテープ側係合部１３，２３が、外力を受けることにより、チャックＣの閉鎖の際には各ベース部１１，２１を内側方向に移動させ、開放の際には各ベース部１１，２１を外側方向に移動させるための部分であることから、凸条１２と凹条２２との間に何も介在させることなしに開閉可能であって、完全密閉が可能な密封用チャックを提供できたものである。
【００１８】
また、本願の請求項５に係る発明は、スライダー３が、上記各テープ１，２の外側の一部と係合が可能な係合爪３３，３３を備えており、この係合爪３３，３３間の距離が、スライダー３における、上記密封用チャックＣの長手方向を基準とした一端側である幅広側３ａで相対的に大きく、他端側である幅狭側３ｂで相対的に小さく形成されたことから、密封用チャックＣの凸条１２と凹条２２との間に何も介在させることがなく、完全密閉が可能なスライダーを提供できたものである。
【００１９】
また、本願の請求項６に係る発明は、上記請求項５に係る発明の効果に加え、スライダー３が二つ以上の構成部材から構成されたことから、密封用チャックＣへの取り付けが容易なスライダーを提供できたものである。
【００２０】
また、本願の請求項７に係る発明は、上記請求項１〜４のいずれかに記載の密封用チャックＣが取り付けられ、この密封用チャックＣに、請求項１〜３、５、６のいずれかに記載のスライダー３が取り付けられたことから、チャックを開閉可能なスライダーを備えたものでありながら完全密閉が可能な密封袋を提供できたものである。
【発明を実施するための最良の形態】
【００２１】
以下、図面に基づき本願発明の実施の形態の一例をとりあげて説明する。図１は本願発明に係る開閉機構を取り付けた密封袋の例を示す。図２はチャックの形状の例を示す。図４はスライダーの例を示す。図５はチャック開放時のチャックとスライダーとの関係を示す。図６はチャック閉鎖時のチャックとスライダーとの関係を示す。
【００２２】
本願発明に係る開閉機構は、開閉自在な密封用チャックＣと、この密封用チャックＣを開閉させるために、密封用チャックＣにスライド可能に取り付けられたスライダー３とが組み合わされたものであって、通常は、図１に示すように密閉可能な袋の開口部に取り付けて用いられる。
【００２３】
密封用チャックＣは、図２に示すように、樹脂製の一方側テープ１と他方側テープ２とが一組とされたものである。この一組のテープ１，２の内側面は対向している。一方側テープ１には、帯状体であるベース部１１の内側面に、ベース部１１の長手方向に沿うようにして凸条１２が少なくとも１本形成されており、他方側テープ２には、同じく帯状体であるベース部２１の内側面に、ベース部２１の長手方向に沿うようにして凹条２２が少なくとも１本形成されている。この凸条１２と凹条２２とが嵌合することにより、上記の一方側テープ１と他方側テープ２との間を閉鎖できる。本例では凸条１２と凹条２２が各１本ずつ形成されている。なお、凸条１２と凹条２２とが複数本形成された場合にあっては、各テープ１，２の一方に凸条１２のみが、他方に凹条２２のみがまとめて設けられていても良いし、各テープ１，２に凸条１２と凹条２２とが混在して設けられていても良い。
【００２４】
本例の凸条１２は、図２（Ｂ）に示すように、基端側であり、一方側テープ１のベース部１１に連続する首部１２ａと、この首部１２ａの先端側に連続する頭部１２ｂとを有している。凸条１２の縦断面形状はキノコ状であり、上下方向寸法に関して、首部１２ａは相対的に小さく、頭部１２ｂは相対的に大きく形成されている。
【００２５】
一方、本例の凹条２２も、図２（Ｂ）に示すように、他方側テープ２のベース部２１に連続する挟持部２２ａと、この挟持部２２ａの先端側に連続する爪部２２ｂとを有している。この挟持部２２ａと爪部２２ｂとの組は、一方の組と他方の組とが図示上下方向に対称に設けられている。そして凸条１２と凹条２２とが図６に示すように嵌合された際には、図２（Ｂ）に示す、凸条１２の頭部１２ｂが、凹条２２の挟持部２２ａと爪部２２ｂとの各組間の空間部２４に配位される。この状態で凸条１２の頭部１２ｂと凹条２２の爪部２２ｂとが噛み合うことになるため、後述のようにスライダー３による操作がなされない限りは凸条１２と凹条２２との嵌合が維持され、密封袋Ｂにこの開閉機構が取り付けられた場合であっても密封が不意に破られることがない。
【００２６】
なお本例のチャックＣでは、図２に示すように、一方側テープ１において上記凸条１２の上方に副凸条１４が設けられている。そして、他方側テープ２において上記凹条２２の上方に副凹条２４が設けられている。上記の凸条１２と凹条２２の組み合わせと同時に、図６に示すように、この副凸条１４と副凹条２４も嵌合がなされる。
【００２７】
しかし、この副凸条１４は上記の凸条１２とは異なり、図示上下方向寸法が一定であり、先端部が丸められた形状とされている。副凹条２４もまた、上記の凹条２２とは異なり、爪部２２ｂに相当する部分が存在していない。これにより、凸条１２の頭部１２ｂが凹条２２の爪部２２ｂを押し広げて嵌合に至るのに比べ、副凸条１４は抵抗なく副凹条２４に嵌合させることができる。
【００２８】
この副凸条１４と副凹条２４の組み合わせは、上記凸条１２と凹条２２の組み合わせによるチャックＣの閉鎖を補助し、より確実に密閉させるために設けられている。
【００２９】
上記に説明した凸条１２、凹条２２、副凸条１４、副凹条２４の形状は一例を示したものであり、互いに嵌合可能な形状であれば、その他種々の形状で実施し得る。また、副凸条１４と副凹条２４は本願発明において必須のものではないため、設けなくても良い。
【００３０】
上記各ベース部１１，２１における、凸条１２あるいは凹条２２の設けられた内側面とは反対側である外側面に、図２（Ａ）に示すようにテープ側係合部１３，２３が形成されている。このテープ側係合部１３，２３は、各ベース部１１，２１の外側面から突出した突起であって、スライダー３などによる外力を受けることにより、チャックＣの閉鎖の際には各ベース部１１，２１を内側方向に移動させ、開放の際には各ベース部１１，２１を外側方向に移動させるための部分である。この各移動は、上記の凸条１２と凹条２２とが嵌合及び嵌合解除させられる距離を移動するようになされる。
【００３１】
このテープ側係合部１３，２３は、上記各ベース部１１，２１に連続して外側方向に延びる基部１３ａ，２３ａと、この基部１３ａ，２３ａに連続して設けられ、図示上方に延びる先端部１３ｂ，２３ｂとを備えている。先端部１３ｂ，２３ｂは、後述するスライダー３の係合爪３３，３３に引っ掛けられる部分である。
【００３２】
テープ側係合部１３，２３の断面形状は、図２（Ａ）に示すように、基部１３ａ，２３ａを基準として上側に先端部１３ｂ，２３ｂが形成されたものに限らず、図３（Ａ）に示すように基部１３ａ，２３ａの上下両側に先端部１３ｂ，２３ｂが形成されたものや、図３（Ｂ）に示すように基部１３ａ，２３ａの下側に先端部１３ｂ，２３ｂが形成されたものであっても良い。また、これら例示した形状に限らず、外力を受けることにより、各ベース部１１，２１を移動させることができるものであれば、種々の形状で実施が可能である。また、図２や図３に例示したテープ側係合部１３，２３は、各ベース部１１，２１と一体に押出成型されてなるものであるが、別々に形成され、嵌合などによって一体とされたものであっても良い。
【００３３】
スライダー３は、図１に矢印で示したように、上記密封用チャックＣの長手方向に沿って移動可能とされたものである。このスライダー３は、図４〜図６に示すように、上記一方側テープ１と他方側テープ２の上側に位置させられる上方部３１を有している。そして、この上方部３１に連続して形成されたものであって、上記一方側テープ１と他方側テープ２の各々外側に位置させられる側方部３２，３２を有している。そして、上記の各テープ側係合部１３，２３と係合する係合爪３３，３３を備えている。
【００３４】
この係合爪３３，３３間の距離は、図４（Ａ）（Ｃ）に示すように、スライダー３の、上記密封用チャックＣの長手方向を基準とした一端側である幅広側３ａで相対的に大きく、他端側である幅狭側３ｂで相対的に小さく形成されている。
【００３５】
このことから、上記の幅広側３ａにより、図２（Ａ）に示す、上記各ベース部１１，２１の内側面からの凸条１２及び凹条２２の突出寸法Ｈ１２，Ｈ２２の和よりも、上記各ベース部１１，２１の内側面間の寸法Ｗの方が大きくなるように、各ベース部１１，２１が離される。そして、上記の幅狭側３ｂにより、上記各ベース部１１，２１の内側面からの上記凸条１２及び凹条２２の突出寸法Ｈ１２，Ｈ２２の和よりも、上記各ベース部１１，２１の内側面間の寸法Ｗの方が小さく、かつ、上記凸条１２と凹条２２とが嵌合するように、各ベース部１１，２１が接近させられる。そして本例においては、嵌合が完了した時点で、上記凸条１２及び凹条２２の突出寸法Ｈ１２，Ｈ２２の和から凹条２２の空間部２４の奥行寸法Ｈ２４を引いた寸法と各ベース部１１，２１の内側面間の寸法Ｗとが一致することとなる。なお、上記空間部２４の奥行寸法Ｈ２４は、凹条２２の先端位置と空間部２４の底部との間の、図示左右方向の寸法である。
【００３６】
この係合爪３３，３３は、スライダー３が、少なくとも、密封用チャックＣを開放させるために密封用チャックＣの長手方向に沿ってスライドする際に、テープ側係合部１３，２３の先端部１３ｂ，２３ｂに当接しつつ外側方向へと押圧するものである。
【００３７】
本例の場合、密封用チャックＣを開放する際には、図５に示すように、この係合爪３３，３３の各外側面３３ａが上記先端部１３ｂ，２３ｂの各内側面１３ｂ１，２３ｂ１を押圧する。一方、密封用チャックＣを閉鎖する際には、図６に示すように、側方部３２，３２の各内側面３２ａが上記先端部１３ｂ，２３ｂの各外側面１３ｂ２，２３ｂ２及び上記各ベース部１１，２１の各外側面１１ａ，２１ａを押圧する。なお、側方部３２，３２によるものではなく、係合爪３３，３３の各内側面３３ｂが各ベース部１１，２１の各外側面１１ａ，２１ａを押圧するものであっても良い。
【００３８】
既に説明したように係合爪３３，３３間の距離は幅広側３ａで相対的に大きく、幅狭側３ｂで相対的に小さく形成されている。これは側方部３２，３２についても同様である（図４参照）。このことから、密封用チャックＣを開放する際には、上記の幅広側３ａから幅狭側３ｂへ向かう方向にスライダー３をスライドさせてやることで、凸条１２と凹条２２との間を離すことができる。逆に、密封用チャックＣを閉鎖する際には、上記の幅狭側３ｂから幅広側３ａへ向かう方向にスライダー３をスライドさせてやることで、凸条１２と凹条２２との間を近づけ、両者を嵌合させることができる。
【００３９】
上記のように、本願発明の開閉機構においては、従来の中子（図８上の１０２ｂ）のように、密封用チャックＣの各ベース部１１，２１の間にスライダー３の一部が挟まれることがない。そのため、密封用チャックＣを完全に閉鎖することができる。
【００４０】
ここで、上記係合爪３３，３３のうち、特に密封用チャックＣが開放される際に上記のテープ側係合部１３，２３に当接する面である外側面３３ａを、図７に示すように、下側部分よりも上側部分の方が外側寄りになるようにしても良い。こうすることにより、密封用チャックＣを開放する際に、各ベース部１１，２１の下側部分よりも上側部分の方をより大きく引き離すことができ、開閉機構の操作をより容易にできる。この係合爪３３，３３の形状は、密封用チャックＣを開放する際のスライダー３の移動方向における後端部となる幅広側３ａに施すことが望ましい。
【００４１】
また、スライダー３が二つ以上の結合可能な構成部材から構成されたものであり、そのうち二つの構成部材における一方側と他方側とに上記の係合爪３３，３３が各々形成されたものであっても良い。これにより、例えば密閉用チャックＣを挟むように各構成部材を配位し、その後、各構成部材を結合することによりスライダー３を密封用チャックＣへ取り付けるということができ、取り付け作業が容易となる。
【００４２】
次に、上記の開閉機構を備えた密封袋の一例について説明する。これは、図１に示すように、樹脂製のシートＢ１，Ｂ２が少なくとも２枚重ねられ、気密状態にて密封可能なように、接着されて形成された密封袋Ｂであって、上記のシートＢ１，Ｂ２が接着されない部分である開口部が設けられている。その開口部に上記の密封用チャックＣが取り付けられている。
【００４３】
なお、上記のように、テープ側係合部１３，２３が上記各ベース部１１，２１の外側面から突出していることから、この密封袋Ｂにおける密封用チャックＣの取り付けは、図５及び図６に示すように、この密封用チャックＣの上端が、上記各シートＢ１，Ｂ２の上端よりも上方に突出するように取り付けられた、いわゆる「天チャック」構造とされている。
【００４４】
また、密封用チャックＣの両端部については、スライダー３が脱落しないように、テープ側係合部１３，２３が熱プレスにより潰されている。
【００４５】
このようにして形成された密封袋Ｂは、完全密封が可能なため、衣類や布団の圧縮保存袋、食品保存袋など、多種多様な用途で便利に使用することができる。
【図面の簡単な説明】
【００４６】
【図１】本願発明に係る開閉機構を取り付けた密封袋の一例を示す正面図である。
【図２】（Ａ）はチャックの形状の一例を示す縦端面図であり、（Ｂ）は同例に係る凸条と凹条を示す要部拡大縦端面図である。
【図３】（Ａ）（Ｂ）とも、チャックの他の形状の例を示す縦端面図である。
【図４】スライダーの一例を略示したものであり、（Ａ）は左側面図、（Ｂ）は正面図、（Ｃ）は右側面図、（Ｄ）は底面図である。
【図５】チャック開放時のチャックとスライダーとの関係を示す縦端面図である。
【図６】チャック閉鎖時のチャックとスライダーとの関係を示す縦端面図である。
【図７】スライダーの他の一例を示す側面図である。
【図８】従来のチャックとスライダーの例を示す縦端面図である。
【符号の説明】
【００４７】
１      一方側テープ
１１    ベース部
１２    凸条
１３    テープ側係合部
１３ａ  基部
１３ｂ  先端部
２      他方側テープ
２１    ベース部
２２    凹条
２３    テープ側係合部
２３ａ  基部
２３ｂ  先端部
３      スライダー
３ａ    幅広側
３ｂ    幅狭側
３３    係合爪
３３ａ  係合爪の外側面
Ｂ１，Ｂ２    シート
Ｃ      密封用チャック
Ｈ１２  凸条の突出寸法
Ｈ２２  凹条の突出寸法
Ｗ      各ベース部の内側面間の寸法
【図１】
2009011516.tif 000003
【図２】
2009011516.tif 000004
【図３】
2009011516.tif 000005
【図４】
2009011516.tif 000006
【図５】
2009011516.tif 000007
【図６】
2009011516.tif 000008
【図７】
2009011516.tif 000009
【図８】
2009011516.tif 000010